(57)【要約】      （修正有）【課題】パーティションと壁面との間にできる隙間のばらつきにかかわらず、パーティションの施錠が可能であり、しかもパーティションをはさんで両側のどちらからでも開閉および施錠可能な開閉式パーティションの施錠金具を提供する。【解決手段】開口部に回動可能に取り付けられた開閉式パーティションを施錠するための金具であって、開口部の他側部から開口部内に突出し開口部の横方向に延びる長穴１３が形成された戸当たり金具１と、パーティションの縦枠３１に上下方向にスライド可能に装着された施錠金具本体２とを備え、施錠金具本体２は、戸当たり金具１の戸当たり部１１より外面側に位置し戸当たり金具１の長穴１３に連通するねじ穴２５が設けられた第１の側板部２１と、第１の側板部２１の反対側に位置し縦向きの長穴が形成された第２の側板部２２と、両側板部を連結する連結板部２３とを備える。【選択図】図２
0003190407.tif 000002
【実用新案登録請求の範囲】
【請求項１】
開口部を開閉できるように開口部の一側部に蝶番によって回動可能に取り付けられた開閉式パーティションで開口部を閉じた状態で施錠するための金具であって、
前記開口部の他側部から開口部内に突出した戸当たり部に、開口部の横方向に延びる長穴が形成された戸当たり金具と、
パーティションの縦枠に上下方向にスライド可能に装着された断面略コ字型の施錠金具本体とを備え、
施錠金具本体は、
パーティションで開口部を閉じた状態で戸当たり金具の戸当たり部より外面側に位置し、戸当たり金具の前記長穴に連通するねじ穴が設けられた第１の側板部と、
縦枠を挟んで前記第１の側板部の反対側に位置し、ねじ挿通用の縦向きの長穴が形成された第２の側板部と、
両側板部を連結する連結板部と
を備えたことを特徴とする、開閉式パーティションの施錠金具。
【請求項２】
前記パーティションの縦枠にブラインドナットが埋設され、固定ねじが前記第２の側板部に形成した縦向きの長穴を経てブラインドナットに螺合し、前記金具本体を縦枠に上下方向にスライド可能に保持している請求項１に記載の施錠金具。
【請求項３】
前記施錠金具本体が、施錠金具本体を上下方向にスライドさせるための取手を両側板部に有する請求項１または２に記載の施錠金具。
【請求項４】
前記施錠金具本体が、前記パーティションの縦枠に係止する抜け止め用の折曲げ片を第１の側板部または第２の側板部に有する請求項１〜３のいずれかに記載の施錠金具。
【請求項５】
前記戸当たり金具が、開口部に戸当たり金具を固定するための取付部を有し、この取付部に固定用ねじ挿通穴と共に回転防止用ねじ挿通穴を設けた請求項１〜４のいずれかに記載の施錠金具。
【考案の詳細な説明】
【技術分野】
【０００１】
本考案は、特にマンション等の集合住宅のベランダにおける隣家との間仕切りや目隠し等として用いられる開閉式パーティションの施錠金具に関する。
【背景技術】
【０００２】
マンション等の集合住宅のベランダに設置されるパーティションは、隣家との間仕切りや目隠し等として必要なものであるが、ベランダの改修工事中は、パーティションを開けて各戸間を工事作業員が行き来できるのが作業効率のうえから望ましい。一方、工事終了後はパーティションを閉じて施錠することが必要である。そこで、本出願人は、先に、建物躯体壁と手摺壁との間に、施錠可能な開閉式パーティションの取付け構造を提案した（特許文献１）。
【０００３】
前記パーティションは、隣家とのベランダを仕切るものであるから、通常、建物躯体壁と手摺壁との間に設置される。このようなパーティションの幅は、ベランダの大きさや集合住宅の種類により異なるが、一般には同じ大きさのベランダには同じ幅および高さのパーティションを使用している。
しかし、同じ大きさのベランダであっても、建物躯体壁と手摺壁との間の幅に約５〜４０ｍｍ程度の施工誤差による隙間が生じることがある。このような施工誤差による隙間は、固定式のパーティションの場合、既設のＬ字型固定金具の一方をメクラにしてパーティションの縦枠位置に合わせて、現場で固定金具に穴を開けてリベット等で取り付けることにより解決している。
【０００４】
しかしながら、開閉式パーティションの場合は、一般に建物躯体壁側に蝶番を、手摺壁側に施錠金具を取り付ける関係から、パーティションと手摺壁側との隙間が狭すぎたり、逆に広すぎたりすると、施錠金具の取り付けができないという問題があった。すなわち、隙間の幅が広すぎる場合はシール部材（パッキン）を壁か手摺の片側もしくは両側の金具に配置して調整するが、ばらつき（誤差）が大きい場合は多くのシール部材を使うことになってしまい、取り付けが不安定になってしまう。また、パーティションと手摺壁側との隙間が狭すぎると、施錠金具の取り付けが不可能となる。
【０００５】
また、集合住宅のベランダの補修工事の際、作業効率のうえから、パーティションは、パーティションで仕切られた２つのベランダのどちら側からでも開閉でき、かつ施錠可能なものであることが望まれている。
【先行技術文献】
【特許文献】
【０００６】
【特許文献１】実用新案登録第３１７７２１５号公報
【考案の概要】
【考案が解決しようとする課題】
【０００７】
本考案の課題は、パーティションと壁面との間にできる隙間のばらつきにかかわらず、パーティションの確実な施錠が可能であり、しかもパーティションをはさんで両側のどちらからでも開閉および施錠可能な開閉式パーティションの施錠金具を提供することにある。
【課題を解決するための手段】
【０００８】
本考案者は、上記課題を解決すべく鋭意検討を重ねた結果、本考案を完成するに至った。すなわち、本考案は以下の構成からなる。
（１）開口部を開閉できるように開口部の一側部に蝶番によって回動可能に取り付けられた開閉式パーティションで開口部を閉じた状態で施錠するための金具であって、前記開口部の他側部から開口部内に突出した戸当たり部に、開口部の横方向に延びる長穴が形成された戸当たり金具と、パーティションの縦枠に上下方向にスライド可能に装着された断面略コ字型の施錠金具本体とを備え、施錠金具本体は、パーティションで開口部を閉じた状態で戸当たり金具の戸当たり部より外面側に位置し、戸当たり金具の前記長穴に連通するねじ穴が設けられた第１の側板部と、縦枠を挟んで前記第１の側板部の反対側に位置し、ねじ挿通用の縦向きの長穴が形成された第２の側板部と、両側板部を連結する連結板部とを備えたことを特徴とする、開閉式パーティションの施錠金具。
（２）前記パーティションの縦枠にブラインドナットが埋設され、固定ねじが前記第２の側板部を経てブラインドナットに螺合し、前記金具本体を縦枠に上下方向にスライド可能に保持している（１）に記載の施錠金具。
（３）前記施錠金具本体が、施錠金具本体を上下方向にスライドさせるための取手を両側板部に有する（１）または（２）に記載の施錠金具。
（４）前記施錠金具本体が、前記パーティションの縦枠に係止する抜け止め用の折曲げ片を第１の側板部または第２の側板部に有する（１）〜（３）のいずれかに記載の施錠金具。
（５）前記戸当たり金具が、開口部に戸当たり金具を固定するための取付部を有し、この取付部に固定用ねじ挿通穴と共に回転防止用ねじ挿通穴を設けた（１）〜（４）のいずれかに記載の施錠金具。
【考案の効果】
【０００９】
本考案によれば、戸当たり金具に長穴が形成され、かつ施錠金具本体における第１の側板部には前記長穴に連通するねじ穴が設けられているので、パーティションと壁面との間にできる隙間のばらつきの大小にかかわらず、パーティションを確実に施錠することができる。
さらに、本考案によれば、パーティションの縦枠を挟んで第１の側板部の反対側にある第２の側板部に縦向きの長穴が形成されているので、この長穴を挿通したねじで縦枠に固定するようにすると、第１の側板部のねじ穴に螺合するねじと、第２の側板部の長穴を挿通し縦枠にしたねじの両方を緩めておくだけで、パーティションを両側のどちらからでも開閉することができ、補修工事の施工効率を向上させることができる。しかも、一日の作業終了後は退出した側のねじを締め付けることにより仮施錠することができ、防犯上も安全である。
【図面の簡単な説明】
【００１０】
【図１】本考案の一実施形態に係る施錠金具を取り付けた開閉式パーティションの使用状態を示し、（ａ）は開口部をパーティションで閉じた状態の正面図、（ｂ）は開口部を開いた状態の正面図である。
【図２】施錠状態での本考案の一実施形態に係る施錠金具を示す斜視図である。
【図３】（ａ）は図１（ａ）のＸ-Ｘ線断面図、（ｂ）はパーティションの取付状態を示す平面図である。
【図４】（ａ）は第１の側板部の方向から見た解錠状態を示す正面図であり、（ｂ）は（ａ）の第２の側板部の方向から見た正面図である。
【図５】（ａ）は、第１の側板部の方向から見た施錠状態を示す正面図であり、（ｂ）は（ａ）の第２の側板部の方向から見た正面図である。
【考案を実施するための形態】
【００１１】
以下、本考案に係る開閉式パーティションの施錠金具について図面を参照して詳細に説明する。
【００１２】
図１（ａ）、（ｂ）において、符号３は本実施形態における開閉式パーティションを示しておち、同図に示すように、ベランダ１００の手摺壁１０１と建物躯体壁１０２との間の開口部１０３に設けられる。このパーティション３は、建物躯体壁１０２に蝶番３５によって回動し、開口部１０３を開閉可能に取り付けられている。
パーティション３を閉じた状態では（図１（ａ））、パーティション３は、手摺壁１０１に取り付けた戸当たり金具１から突出した戸当たり部１１に係止し、パーティション３の縦枠３１に装着された施錠金具本体２によって施錠されている。
【００１３】
＜戸当たり金具１＞
戸当たり金具１は、図１、図２に示すように、開口部１０３内に突出し、開口部１０３の横方向に延びる長穴１３を有する戸当たり部１１と、手摺壁１０１に取り付けるための取付部１２とから構成される略Ｌ字型のプレートである。
【００１４】
戸当たり部１１に形成される長穴１３は、ベランダ１００の開口部１０３の幅にばらつきがあり、例えば、パーティション３と手摺壁１０１との隙間が５〜４０ｍｍ程度のばらつきであれば、施錠金具本体２によって確実に施錠できる長さを有する。
【００１５】
戸当たり部１１は、図２および図３に示すように、取付部１２に設けた固定用ねじ挿通穴１４よりボルト６を挿通させ、手摺壁１０１にボルト止めする。さらに、戸当たり部１１には、戸当たり金具１が回転したり動いたりしないように回転防止用ねじ挿通穴１５が設けられ、ねじ７が締め付けられている。
【００１６】
＜施錠金具本体２＞
図２および図３に示すように、施錠金具本体２は、戸当たり部１１側に位置する第１の側板部２１と、縦枠３１を挟んで第１の側板部２１の反対側に位置する第２の側板部２２と、第１の側板部２１と第２の側板部２２とを連結する連結板部２３とから構成された断面略コ字型の形状を有する。この施錠金具本体２は、パーティション３の縦枠３１に装着される。
【００１７】
第１の側板部２１は、戸当たり金具１の戸当たり部１１より外側に位置し、パーティション３の縦枠３１との間に戸当たり部１１が介在する隙間を有する。そして、戸当たり部１１の長穴１３に連通するねじ穴２５を有する。このねじ穴２５に螺合するねじ５を戸当たり金具１の長穴１３まで挿通させることにより、第１の側板部２１側の施錠が行われる。第１の側板部２１は、上端を水平に折り曲げて取手部２６が形成されている。なお、前記ねじ５は、先端をかしめて、ねじを緩めた時の脱落防止策を施しておくのが好ましい。
【００１８】
第２の側板部２２には、固定ねじ４が挿通する縦向きの長穴２４が設けられる。一方、縦枠３１の対応する部位にはねじ穴３４が設けられており、長穴２４を挿通した固定ねじ４がねじ穴３６に螺合して施錠金具本体２を枠体３１に固定することができる。また、ねじ４を緩めることで施錠金具本体２を上下にスライドさせることができる。
長穴２４の長さは、施錠金具本体２を戸当たり金具１の戸当たり部１１から上方に離脱させるのに十分な長さであればよく、例えば３４ｍｍ以上スライドさせることができる長さであるのが好ましい。
【００１９】
縦枠３１に設けられるねじ穴３４は、例えば、アルミニウム・サッシでできた薄い縦枠３１にブラインドナットを埋設することによって形成することができる。
【００２０】
また、第２の側板部２２は、上端に水平に折り曲げた取手部２６’を有する。さらに、第２の側板部２２の前面には、縦枠３１側に折り曲げた爪部２７を有する。この爪部２７は、パーティション３の縦枠３１に係止し、施錠金具本体２が縦枠３１から脱落するのを防止する抜け止め用として機能する。
第１の側板部２１と第２の側板部２２に設けた取手部２６、２６’は、施錠金具本体２を上下方向にスライドさせたり、パーティション３を開閉させたりするために指を掛けるものである。
【００２１】
前記固定ねじ４およびねじ５には、特に限定されないが、通常のプラス溝やマイナス溝以外の、専用工具以外では嵌入できない異形溝を有するいたずら防止ねじを用いるのが好ましい。例えば、施工期間中の夜間や休日などの作業休止中は、防犯対策上、いたずら防止ねじ５を第１の側板部２１に設けたねじ穴２５、いたずら防止ねじ４をねじ穴３４にそれぞれ螺入してパーティション３を施錠するようにする。
【００２２】
連結板部２３は、第１の側板部２１と第２の側板部２２とを連結するものであり、折り曲げ加工によって両側板部２１、２２と一体に形成されている。この連結板部２３の横方向の長さは、縦枠３１の厚みと戸当たり部１１の厚みの合計より少し長めに形成されているのがよい。
【００２３】
施錠金具本体２の材質は、例えば、ステンレス、アルミニウム、スチール等が挙げられる。
【００２４】
＜パーティション３＞
ベランダ１００の開口部１０３を開閉するパーティション３は、図１（ａ）に示すように左右の縦枠３１と、上下の横枠３２と、この縦枠３１と横枠３２とで囲まれたドアパネル３３（面材）からなる。
【００２５】
前記縦枠３１は、左右のいずれか一辺が開口部１０３の一側部に蝶番３５で取り付けられて、前記パーティション３を回動可能にする。また、縦枠３１の他の一辺には、ねじ４で固定された施錠金具本体２が前記パーティション３を施錠する。なお、前記蝶番３５は、ベランダ１００の壁面のアンカー穴を再利用して設置すると、ベランダ１００の外観を損なわない。
【００２６】
縦枠３１、横枠３２およびドアパネル３３の材質は特に限定されるものではなく、縦枠３１と横枠３２としては、例えば、スチール、アルミニウム、ステンレス等の不燃材が挙げられる。また、ドアパネル３３には、不燃材で且つ火災等不測の事態に備えて破壊し易い材質を用いてもよく、例えば、ケイ酸カルシウム板等が挙げられる。
【００２７】
＜施錠金具の使用方法＞
図４（ａ）、（ｂ）は、それぞれ第１の側板部２１側および第２の側板部２２側からみた解錠状態の施錠金具を示し、図５（ａ）、（ｂ）は、それぞれ第１の側板部２１側および第２の側板部２２側からみた施錠状態の施錠金具を示している。
【００２８】
解錠状態では、図４（ａ）に示すように、ねじ５は、戸当たり部１１の長穴１３に挿入されず、第１の側板部２１のねじ穴２５から抜け落ちない程度に緩んだ状態である。また、図４（ｂ）に示すように、固定ねじ４は、長穴２４の下端に位置し、施錠金具本体２を戸当たり金具１より上方にスライドさせた状態で保持している。この解錠状態では、パーティション３を図１（ａ）に示す閉じた状態から、図１（ｂ）に示すように回動させて開くので、パーティション３の左右どちらからでも開閉することができる。
【００２９】
次に、パーティション３を閉じて施錠する場合には、まず、パーティション３を回動させて、縦枠３１を戸当たり金具１の戸当たり部１１に当接させる。そして、図５（ａ）、（ｂ）に示すように、固定ねじ４が長穴２４の上端へスライドするように施錠金具本体２を下端に押し下げる。このとき、第１の側板部２１のねじ穴２５を挿通するねじ５の先端部が戸当たり部１１の長穴１３内に位置する。
【００３０】
この後、ねじ５または固定ねじ４のいずれか一方、または両方を締め付けることで、施錠金具本体２が上方にスライドして解錠状態となるのを防止し、パーティション３を確実に施錠することができる。このとき、以下に述べるように、ねじ５または固定ねじ４のいずれか一方のねじを締め付けることにより、パーティション３の一方の側から仮施錠が可能となる。
【００３１】
マンションのベランダ改修工事の際には、工事の安全と作業効率アップのために、パーティション３を自由に開閉できるようにする。すなわち、固定ねじ４は、施錠金具本体２が長穴２４に沿ってスライドできる程度に緩めておき、反対側のねじ５も戸当たり金具１の長穴１３から離脱するまで緩めておく。次に、取手部２６または２６’に手を引っ掛けて、図４（a）,(b)に示すように、施錠金具本体２持ち上げることにより、作業者は自由にパーティション３を開閉し、隣接する各戸の工事を行き来することができる。
【００３２】
例えば１フロアー１４戸のマンションの大規模改修工事を実施する場合、１号室から７号室までを１工区とし、８号室から１４号室を２工区とした場合、１工区の工事は１号室側からパーティション引いて開けて入って７号室まで工事を行い、２工区の工事は１４号室側からパーティションを押して開けて入って8号室まで工事を行う。
【００３３】
その場合、パーティション３は自由に開閉できるので、１工区では、当日の作業が終われば、各パーティション３を閉じ、施錠金具本体２を押し下げて、固定ねじ４を締め付け、順に１号室まで退出していく。２工区でも、同様に、当日の作業が終われば、各パーティション３を閉じ、施錠金具本体２を押し下げて、ねじ５を締め付け、順に１４号室まで退出していく。
そして、改修工事後は、施錠金具位置以外の部位にある既設のＬ形固定金具（図示せず）を再利用して、退出する片側からリベット止めにて固定し、さらに施錠金具のねじ４または５を締めることによって確実に施錠することができる。また、次の改修工事の際には、片側から電動工具でリベットを切って行くだけで開閉式パーティションを再利用することができる。
【００３４】
このとき、上記したように、本考案の施錠金具は、パーティション３をはさんで、左右どちらからでも開閉でき、かつ施錠できるので、工事の施工効率を向上させることができる。
【００３５】
以上の説明では、本考案に係る開閉式パーティションの施錠金具をマンション等の集合住宅のベランダに適用する場合について説明したが、本考案の施錠金具はベランダへの適用のみに限定されるものではなく、例えば室内や屋外に設置される開閉式パーティションにも適用可能である。
【符号の説明】
【００３６】
１      戸当たり金具
２      施錠金具本体
３      パーティション
４      固定ねじ
５      ねじ
１１    戸当たり部
１２    取付部
１３    長穴
１４    固定用ねじ挿通穴
１５    回転防止用ねじ挿通穴
２１    第１の側板部
２２    第２の側板部
２３    連結板部
２４    長穴
２５    ねじ穴
２６、２６’  取手部
３１    縦枠
１００  ベランダ
１０１  手摺壁
１０２  建物躯体壁
１０３  開口部
【図１】
0003190407.tif 000003
【図２】
0003190407.tif 000004
【図３】
0003190407.tif 000005
【図４】
0003190407.tif 000006
【図５】
0003190407.tif 000007